(57)【要約】      （修正有）【課題】快適な寝心地を実現しうる折畳みベッドを提供する。【解決手段】折り曲げ可能に連結された第１フレーム４及び第２フレーム５を含むベッドフレーム２を有し、ベッド側面視において、ベッドフレーム２が略水平となる水平状態と、第１フレーム４と第２フレーム５とが逆Ｖ字状に折り曲げられた折畳み状態とに変形可能な折畳みベッド１であって、ベッドフレーム２上に配され、かつ、第１フレーム４から第２フレーム５まで分断されることなく連続してのびるシームレスマット２０と、シームレスマット２０の一端Ｓ１側を第１フレーム４に固定するための第１固定手段１８と、シームレスマット２０の他端Ｓ２側を、第２フレーム５に、ベッド長さ方向Ｘにスライド可能に固定するための第２固定手段１９とを含む。【選択図】図１
0003192039.tif 000002
【実用新案登録請求の範囲】
【請求項１】
折り曲げ可能に連結された第１フレーム及び第２フレームを含むベッドフレームを有し、
ベッド側面視において、前記ベッドフレームが略水平となる水平状態と、前記第１フレームと前記第２フレームとが逆Ｖ字状に折り曲げられた折畳み状態とに変形可能な折畳みベッドであって、
前記ベッドフレーム上に配され、かつ、前記第１フレームから前記第２フレームまで分断されることなく連続してのびるシームレスマットと、
前記シームレスマットの一端側を前記第１フレームに固定するための第１固定手段と、
前記シームレスマットの他端側を、前記第２フレームに、ベッド長さ方向にスライド可能に固定するための第２固定手段とを含むことを特徴とする折畳みベッド。
【請求項２】
前記第２固定手段は、前記シームレスマットを前記第２フレームに押し付けるための弾性バンドを含む請求項１に記載の折畳みベッド。
【請求項３】
前記弾性バンドは、ベッド幅方向にのびており、その両端は前記シームレスマットにそれぞれ固着されており、前記第２フレームに掛け回されている請求項２記載の折畳みベッド。
【請求項４】
前記シームレスマットの前記他端側を前記第２フレームのベッド長さ方向の外縁側に付勢する付勢手段をさらに含む請求項１乃至３のいずれかに記載の折畳みベッド。
【請求項５】
前記第１固定手段は、前記シームレスマットを覆うカバーであり、
前記カバーが前記第１フレームに固定されている請求項１乃至５のいずれかに記載の折畳みベッド。
【考案の詳細な説明】
【技術分野】
【０００１】
本考案は、寝心地の良い折畳みベッドに関する。
【背景技術】
【０００２】
下記特許文献１には、折り曲げ可能に連結された第１フレーム及び第２フレームを含むベッドフレームを有する折畳みベッドが提案されている。このような折畳みベッドは、第１フレームと第２フレームとが逆Ｖ字状に折り曲げられた折畳み状態に変形可能である。
【０００３】
上記折畳みベッドは、使用者の身体が載置されるマットを具えている。マットは、第１フレームに配された第１マットと、第２フレームに配された第２マットとに分断されている。
【先行技術文献】
【特許文献】
【０００４】
【特許文献１】特開２００５−１２４６５１号公報
【考案の概要】
【考案が解決しようとする課題】
【０００５】
上記の折畳みベッドでは、マットが上半身用及び下半身用に分断されているため、使用者の腰付近がマットの縁に位置し、寝心地が悪いという問題があった。
【０００６】
本考案は、以上のような実状に鑑み案出されたもので、快適な寝心地を実現しうる折畳みベッドを提供することを主たる目的とする。
【課題を解決するための手段】
【０００７】
本考案は、折り曲げ可能に連結された第１フレーム及び第２フレームを含むベッドフレームを有し、ベッド側面視において、前記ベッドフレームが略水平となる水平状態と、前記第１フレームと前記第２フレームとが逆Ｖ字状に折り曲げられた折畳み状態とに変形可能な折畳みベッドであって、前記ベッドフレーム上に配され、かつ、前記第１フレームから前記第２フレームまで分断されることなく連続してのびるシームレスマットと、前記シームレスマットの一端側を前記第１フレームに固定するための第１固定手段と、前記シームレスマットの他端側を、前記第２フレームに、ベッド長さ方向にスライド可能に固定するための第２固定手段とを含むことを特徴とする。
【０００８】
本考案に係る前記折畳みベッドは、前記第２固定手段が、前記シームレスマットを前記第２フレームに押し付けるための弾性バンドを含むのが望ましい。
【０００９】
本考案に係る前記折畳みベッドは、前記弾性バンドが、ベッド幅方向にのびており、その両端は前記シームレスマットにそれぞれ固着されており、前記第２フレームに掛け回されているのが望ましい。
【００１０】
本考案に係る前記折畳みベッドは、前記シームレスマットの前記他端側を前記第２フレームのベッド長さ方向の外縁側に付勢する付勢手段をさらに含むのが望ましい。
【００１１】
本考案に係る前記折畳みベッドは、前記第１固定手段が、前記シームレスマットを覆うカバーであり、前記カバーが前記第１フレームに固定されているのが望ましい。
【考案の効果】
【００１２】
本考案の折畳みベッドは、ベッドフレーム上に配され、かつ、第１フレームから第２フレームまで分断されることなく連続してのびるシームレスマットを含んでいる。シームレスマットは、ベッドの長さ方向の中間部でマットが途切れることがない。従って、使用者は、例えば、腰付近に違和感を感じず、快適な寝心地が得られる。また、シームレスマットは、使用者の荷重をマット全体に分散できる。このため、シームレスマットは、荷重による部分的な変形が小さく抑制される。
【００１３】
一方、シームレスマットが第１フレーム及び第２フレームに完全に固定されている場合、ベッドが逆Ｖ字状に折り畳まれたときに、逆Ｖ字状の頂部では、シームレスマットに大きな歪みが生じる。従って、折畳みベッドが、水平状態と折畳み状態とに繰り返し変形された場合、シームレスマットの中間部にへたりや損傷が生じるおそれがある。そこで、本考案では、シームレスマットの一端側を第１フレームに固定するための第１固定手段と、シームレスマットの他端側を、第２フレームに、ベッド長さ方向にスライド可能に固定するための第２固定手段とを含ませている。これにより、シームレスマットは、ベッドが折畳み状態に変形された際、シームレスマットの他端側は、中間部での歪を緩和するように、第２フレームに沿って一端側にスライドすることができる。このため、本考案の折畳みベッドでは、折畳み状態に変形されたシームレスマットの中間部に生じる歪みを減じ、シームレスマットのへたりや損傷を長期に亘って防止でき、耐久性を向上できる。
【図面の簡単な説明】
【００１４】
【図１】本考案の実施形態の折畳みベッドの斜視図である。
【図２】図１の折畳みベッドの側面図である。
【図３】折畳み状態の折畳みベッドの側面図である。
【図４】第２フレーム付近の拡大斜視図である。
【考案を実施するための形態】
【００１５】
以下、本考案の実施の一形態が図面に基づき説明される。
図１は、本実施形態の折畳みベッド（以下、単に「ベッド」と記載される）１の斜視図であり、図２は、その側面図である。
【００１６】
図１に示されるように、ベッド１は、例えば、金属材料からなるベッドフレーム２と、ベッドフレーム２に配されたマット３とを具えている。以下、本実施形態では、ベッド１の方向について、ベッド長さ方向はＸ、ベッド幅方向はＹ、ベッド高さ方向はＺでそれぞれ表される方向とする。
【００１７】
ベッドフレーム２は、第１フレーム４、第２フレーム５、及び、これらを折り曲げ可能に連結する連結フレーム６とを含む周知の折畳み機構を具えている。本実施形態の第１フレーム４は、例えば、使用者の上半身側を支持する。本実施形態の第２フレーム５は、例えば、使用者の下半身側を支持する。但し、第１フレーム４が使用者の下半身側を支持し、第２フレーム５が使用者の下半身側を支持するものであっても良い。
【００１８】
第１フレーム４及び第２フレーム５は、例えば、互いに等しい長さを有する。これにより、連結フレーム６は、ベッド１の長さ方向Ｘの略中間部Ｃに位置している。第１フレーム４及び第２フレーム５のそれぞれには、例えば、ベッド幅方向Ｙの両側に、脚部７が設けられている。各脚部７は、各フレーム４、５に、回動自在にピン結合されている。
【００１９】
連結フレーム６は、例えば、第１フレーム４及び第２フレーム５に、ベッド幅方向Ｙにのびるピンで回動自在に連結されている。連結フレーム６は、ベッド高さ方向Ｚにのびる脚部８を含んでいる。本実施形態の脚部８は、ベッド１が水平とされた状態で、床面に当接可能に設けられている。
【００２０】
上述されたベッド１は、ベッドフレーム２が略水平となる水平状態と、図３に示されるように、第１フレーム４と第２フレーム５とが略逆Ｖ字状に折り曲げられた折畳み状態とに変形可能である。
【００２１】
好ましい態様として、本実施形態のベッド１は、図２に示されるように、リクライニング機構を具えている。第１フレーム４には、詳細は示さないが、上記特許文献１のベッドのように、初期リクライニング状態において、頭部側のみが持ち上がり、例えば、使用者に枕を提供しうる周知のリクライニング機構が設けられている。この場合、第１フレーム４は、平面視略矩形の基枠９と、基枠９上に載置される傾動部１０と、傾動部１０を傾動させる駆動手段１１とを含むことができる。
【００２２】
傾動部１０は、頭部側の傾動部１０ａと、頭部側の傾動部１０ａに遅れて傾動される上半身側の傾動部１０ｂとを含んでいる。このようなリクライニング機構では、頭部側の傾動部１０ａが持ち上げられた後、この傾動部１０ａとともに、上半身側の傾動部１０ｂも上向きに傾動される。
【００２３】
同様に、本実施形態の第２フレーム５にも、詳細は示さないが、上記特許文献１のベッドのように、側面視で山型に折り曲げ可能な周知のリクライニング機構が設けられている。この場合、第２フレーム５は、平面視略矩形の基枠１３と、基枠１３上に載置される傾動部１４と、傾動部１４を傾動させる駆動手段１５とを含むことができる。
【００２４】
傾動部１４は、長さ方向Ｘのベッド内側の傾動部１４ａと、この傾動部１４ａに回動自在に連結された長さ方向Ｘのベッド外側の傾動部１４ｂとを含んでいる。
【００２５】
本実施形態のマット３は、ベッドフレーム２上に配されたシームレスマット２０を含んでいる。シームレスマット２０は、第１フレーム４から第２フレーム５まで分断されることなく連続してのびている。このようなシームレスマット２０は、ベッドの長さ方向Ｘの中間部Ｃでマットが途切れることがない。このため、使用者は、例えば、腰付近に違和感を感じず、快適な寝心地が得られる。また、シームレスマット２０は、使用者の荷重を全体に分散できる。このため、シームレスマット２０は、荷重による部分的な変形が小さく抑制される。このようなシームレスマット２０は、例えば、ウレタンフォームやポリエチレンフォームなどを使用したスポンジ材により形成されるのが望ましい。
【００２６】
シームレスマット２０がベッドフレーム２に完全に固定されている場合、図３に示したように、ベッド１が折畳み状態に変形されたときに、逆Ｖ字状の頂部に大きな歪みが生じる傾向がある。このため、ベッド１が水平状態と折畳み状態とに繰り返し変形されることで、シームレスマット２０の中間部Ｃには、へたりや損傷が生じるおそれがある。
【００２７】
本実施形態のベッド１は、シームレスマット２０の一端Ｓ１側を第１フレーム４に固定するための第１固定手段１８と、シームレスマット２０の他端Ｓ２側を、第２フレーム５に、ベッド長さ方向Ｘにスライド可能に固定するための第２固定手段１９とを含んでいる。
【００２８】
本実施形態のシームレスマット２０は、ベッド１が折畳み状態に変形された際、シームレスマット２０の他端Ｓ２側が、中間部Ｃでの歪が緩和されるように、ベッド長さ方向Ｘの一端Ｓ１側にスライド変形される。これにより、本実施形態のベッド１では、シームレスマット２０の中間部Ｃを逆Ｖ字状の頂部からずらし、中間部Ｃに生じる歪みを減じて、シームレスマット２０の中間部Ｃでのへたりや損傷を長期に亘って防止でき、耐久性を向上することができる。
【００２９】
第１固定手段１８は、例えば、袋状に形成されたカバー２２であり、シームレスマット２０を覆うのが望ましい。本実施形態のカバー２２は、第１フレーム４に固定されている。より具体的には、カバー２２は、例えば、シームレスマット２０とともに、シームレスマット２０が配された第１フレーム４（本実施形態では、傾動部１０）を覆うのが望ましい。これによりシームレスマット２０は、カバー２２を介して第１フレーム４に固定され、水平状態及び折畳み状態のいずれにおいても、第１フレーム４と一体化される。なお、カバー２２には、シームレスマット２０を取り外すためのファスナー等が適宜形成されている。
【００３０】
カバー２２は、第１フレーム４がリクライニング機構を含まない態様の場合、例えば、シームレスマット２０とともに、第１フレーム４の基枠９の少なくとも一部を覆うのが望ましい。このようなカバー２２も、シームレスマット２０と第１フレーム４とを一体に固定しうる。また、他の態様の第１固定手段１８は、例えば、シームレスマット２０の下面と第１フレーム４とに、互いに係合可能な係合部を設ける等、シームレスマット２０と第１フレーム４とを一体に固定しうる構成であっても良い。
【００３１】
図４には、第２フレーム５を裏側（下側）から見た斜視図が示されている。図４に示されるように、本実施形態の第２固定手段１９は、シームレスマット２０を第２フレーム５に押し付けて固定するための弾性バンド２６を含んで構成されている。
【００３２】
弾性バンド２６は、例えば、伸縮自在なゴム又はストレッチ素材で形成された長尺帯状である。本実施形態の弾性バンド２６は、ベッド幅方向Ｙにのびており、その両端２６ａ、２６ａは、シームレスマット２０にそれぞれ固着されている。
【００３３】
本実施形態の弾性バンド２６は、第２フレーム５に掛け回されている。本実施形態の弾性バンド２６は、第２フレーム５の傾動部１４ｂのベッド幅方向Ｙに掛け回されている。このような弾性バンド２６は、シームレスマット２０の他端Ｓ２側を、ベッド長さ方向Ｘにスライド可能にしつつ、シームレスマット２０が第２フレーム５から離れるのを防止しうる。また、第２フレーム５がリクライニング機構を含まない態様の場合、弾性バンド２６は、例えば、第２フレーム５の基枠１３のベッド幅方向Ｙに掛け回される。
【００３４】
また、他の態様の第２固定手段１９は、例えば、第２フレーム５に形成されたベッド長さ方向Ｘにのびる案内レールと、この案内レールに嵌合しうるシームレスマット２０の下面に形成された被案内部とから構成されても良い。このような第２固定手段１９も、シームレスマット２０の他端Ｓ２側をベッド長さ方向Ｘにスライド可能にしつつ、シームレスマット２０が第２フレーム５から離れるのを防止しうる。
【００３５】
上述の本実施形態のベッド１では、シームレスマット２０の弾性や第２固定手段１９の拘束力によっては、折畳み状態から水平状態へと変形された際、逆Ｖ字状に変形したシームレスマット２０の頂部が、折畳み状態の形状を維持したまま残り、完全な水平状態に復元しないおそれがある。この場合には、シームレスマット２０が、例えば、使用者によって押圧されることにより、水平状態へと容易に復元され得る。
【００３６】
実施形態として、ベッド１は、シームレスマット２０の他端Ｓ２側を第２フレーム５のベッド長さ方向の外縁側に付勢する付勢手段２７をさらに含んでいても良い。このような付勢手段２７は、ベッド１が折畳み状態から水平状態へと変形された際、シームレスマット２０の他端Ｓ２側を第２フレーム５のベッド長さ方向Ｘの外縁側に引き寄せ、シームレスマット２０を第２フレーム５に沿った完全な水平状態へと復元させるのに役立つ。
【００３７】
付勢手段２７は、例えば、第２フレーム５のベッド長さ方向Ｘの外縁側と弾性バンド２６とを連結する弾性体２８であるのが望ましい。本実施形態の弾性体２８は、伸縮自在なゴム又はストレッチ素材で形成された長尺帯状である。このような弾性体２８は、ベッド１が折畳み状態から水平状態へと変形された際、弾性バンド２６を介してシームレスマット２０の他端Ｓ２側を、第２フレーム５のベッド長さ方向Ｘの外縁側に引き寄せ、シームレスマット２０を第２フレーム５に沿った完全な水平状態へと復元させる。
【００３８】
以上、本考案の特に好ましい実施形態について詳述したが、本考案は図示の実施形態に限定されることなく、種々の態様に変形して実施しうる。
【符号の説明】
【００３９】
１    折畳みベッド
２    ベッドフレーム
４    第１フレーム
５    第２フレーム
１４    第１固定手段
１５    第２固定手段
２０    シームレスマット
Ｘ    ベッド長さ方向
【図１】
0003192039.tif 000003
【図２】
0003192039.tif 000004
【図３】
0003192039.tif 000005
【図４】
0003192039.tif 000006